(57)【特許請求の範囲】
【請求項１】
膨張弁本体を両側から挟み込むように遮音部材を介して上記膨張弁本体に装着される左右一対のケース部材を含み、上記一対のケース部材が同一形状であり、
上記各ケース部材は、当該ケース部材の上部に第１の係止部と第１の被係止部とが前後に略対称となる位置に並べて形成され、当該ケース部材の下部に第２の係止部と第２の被係止部とが前後に略対称となる位置に並べて形成され、
一方のケース部材の第１の係止部と他方のケース部材の第１の被係止部が係合し、一方のケース部材の第１の被係止部と他方のケース部材の第１の係止部が係合し、一方のケース部材の第２の係止部と他方のケース部材の第２の被係止部が係合し、一方のケース部材の第２の被係止部と他方のケース部材の第２の係止部が係合することにより２つの同一形状のケース部材が互いに結合されて上記膨張弁本体に装着されることを特徴とする膨張弁用ケース。
【請求項２】
上記係止部と上記被係止部が上記ケース部材の内部に形成されており、上記ケース部材の外面が平坦状に形成されていることを特徴とする請求項１記載の膨張弁用ケース。
【請求項３】
請求項１又は２記載の膨張弁用ケースが膨張弁本体に装着されていることを特徴とする膨張弁。
【発明の詳細な説明】
【０００１】
【発明の属する技術分野】
この発明は、冷凍サイクルを構成する膨張弁又は膨張弁用ケースに関し、更に詳しくは、膨張弁から発生する騒音を遮断した膨張弁又は膨張弁用遮音ケースに関する。
【０００２】
【従来の技術】
膨張弁には各種のタイプがあるが、蒸発器に送り込まれる高圧冷媒が通る高圧冷媒通路の途中を細く絞って形成されたオリフィスに対して、上流側から対向するように弁体を配置し、蒸発器から送り出される低圧冷媒の温度と圧力に対応して弁体を開閉動作させるようにした膨張弁が広く用いられている。
【０００３】
この種の膨張弁として、図１０に示される自動車の空気調和装置等の冷凍サイクル１に使用されるものがある。
即ち、冷凍サイクル１は、エンジンにより駆動される冷媒圧縮機２と、該冷媒圧縮機２の吐出側に接続される凝縮機３と、凝縮機３に接続される受液器４と、受液器４からの液相冷媒を気液二相冷媒に断熱膨張させる膨張弁５と、膨張弁５に接続される蒸発器６とから構成されている。
【０００４】
上記膨張弁５には、膨張弁本体５ａに液相冷媒が流入する高圧側通路５ｂと断熱膨張された気液二相冷媒が流出する低圧側通路５ｃとが設けられ、高圧側通路５ｂと低圧側通路５ｃとはオリフィス７を介して連通し、更に該オリフィス７を通過する冷媒量を調整する弁体８を弁室８ｄに備えている。
また、膨張弁５は、膨張弁本体５ａに低圧冷媒通路５ｄが貫通して形成され、低圧冷媒通路５ｄ内にはプランジャ９ａが摺動可能に配置され、該プランジャ９ａは、膨張弁本体５ａの上部に固定された感温駆動部９により駆動される。該感温駆動部９はその内部がダイヤフラム９ｄによって区画され、上部気密室９ｃと下部気密室９ｃ'とが形成されている。プランジャ９ａの上端の円盤部９ｅはダイヤフラム９ｄに当接する。また、感温駆動部９において、上蓋９ｆの中央部には、チューブ装着穴９ｇが穿設され、該チューブ装着穴９ｇにはキャピラリチューブ９ｈが取り付けられている。
【０００５】
更に、膨張弁本体５ａの下部には、支持部材８ｃを介して弁体８を閉弁方向に押圧する圧縮コイルばね８ａが弁室８ｄ内に配置されており、弁室８ｄは膨張弁本体５ａと螺合する調節ねじ８ｂにより形成され、Ｏリング８ｅにより気密が保持される。また、プランジャ９ａの摺動により弁体８を開弁方向に移動する作動棒９ｂがプランジャ９ａの下端に当接している。
【０００６】
そして、感温駆動部９内のプランジャ９ａが低圧冷媒通路５ｄ内の温度を前記上部気密室９ｃに伝達し、その温度に応じて上部気密室９ｃの圧力が変化する。例えば、温度が高い場合は上部気密室９ｃの圧力が上昇して前記ダイヤフラム９ｄがプランジャ９ａを押し下げると、弁体８は開弁方向に移動してオリフィス７の冷媒通過量が増加し、蒸発器６の温度が下げられる。
一方、温度が低い場合には、上部気密室９ｃの圧力が下降し、前記ダイヤフラム９ｄによるプランジャ９ａを押し下げる力が弱まり、弁体８は閉弁方向に付勢する圧縮コイルばね８ａにより閉弁方向に移動してオリフィス７の冷媒通過量が減少し、蒸発器６の温度が上げられる。
【０００７】
このように膨張弁５は、低圧冷媒通路５ｄ内の温度変化に応じて、弁体８を移動させてオリフィス７の開口面積を変化させ、冷媒通過量を調整して蒸発器６の温度調整を図っている。そして、この種の膨張弁５においては、液相冷媒から気液二相冷媒に断熱膨張させるオリフィス７の開口面積は、弁体８を閉弁方向に押圧するばね荷重可変の圧縮コイルばね８ａのばね荷重を調節ねじ８ｂで調整することによって設定されている。
なお、上記図１０に示す膨張弁５は、感温駆動部９のチューブ装着穴９ｇにキャピラリチューブ９ｈが取り付けられている例を示しているが、図１１はその別例を示しており、チューブ装着穴９ｇにはキャピラリチューブ９ｈに代えて、封止用栓体９ｉが取り付けられ、且つ、膨張弁本体５ａは角柱状で、その両側部の下部には薄肉部５ｅが形成され、低圧冷媒通路５ｄの近傍にはボルト穴５ｆが穿設されている。
【０００８】
【発明が解決しょうとする課題】
上記膨張弁５は、蒸発器６の出口温度（低圧冷媒通路５ｄの温度）を検出し膨張弁５の感温駆動部９にフィードバックさせる温度式膨張弁であるが、一般的にこの温度式膨張弁は、例えば自動車の空調機における冷凍システムに用いた場合に、比較的外気温度や内気温度が高負荷条件下に暫く自動車を放置した後、冷凍サイクル（冷房運転）を起動させると、膨張弁の開度が大となっているために、液冷媒が多量に蒸発器に送り込まれることで、膨張弁から冷媒通過音が発生することがある。
【０００９】
更に、上記膨張弁は、膨張弁に送り込まれる高圧冷媒には冷凍サイクル内において上流側で圧力変動が発生する場合があり、その圧力変動は、高圧冷媒を媒体として膨張弁に伝達される。すると、上述のような従来の膨張弁においては、冷媒が膨張するときに騒音を発する場合がある外、弁体に上流側の冷媒の圧力変動が伝達されると、それが弁体の動作を不安定にする場合があり、その場合には、弁体の振動により騒音が発生することがある。
【００１０】
そこで、従来の上記不具合に対応する一手段として、膨張弁の外側に遮音ケースを付設して、騒音が外に漏れないようにする手段（特開２００２−２９２５１号公報）が提案されている。しかしながら、この手段はその形状が複雑であることからその製造コストが高くなるばかりでなく、膨張弁への取付作業に多くの手数を要するという問題がある。
したがって、本発明の課題は、膨張弁に取り付ける遮音部材の構成を簡単にすると共にその取付等の取扱を容易にし、しかも、遮音・防振効果が優れた膨張弁又は膨張弁用ケースを提供することにある。
【００１１】
【課題を解決するための手段】
上記課題を解決するために、下記の手段を講じた。即ち、請求項１記載の膨張弁用ケースは、膨張弁本体を両側から挟み込むように遮音部材を介して上記膨張弁本体に装着される左右一対のケース部材を含み、上記一対のケース部材が同一形状であり、上記各ケース部材は、当該ケース部材の上部に第１の係止部と第１の被係止部とが前後に略対称となる位置に並べて形成され、当該ケース部材の下部に第２の係止部と第２の被係止部とが前後に略対称となる位置に並べて形成され、一方のケース部材の第１の係止部と他方のケース部材の第１の被係止部が係合し、一方のケース部材の第１の被係止部と他方のケース部材の第１の係止部が係合し、一方のケース部材の第２の係止部と他方のケース部材の第２の被係止部が係合し、一方のケース部材の第２の被係止部と他方のケース部材の第２の係止部が係合することにより２つの同一形状のケース部材が互いに結合されて上記膨張弁本体に装着されることを特徴とする。
【００１２】
請求項３記載の膨張弁は、請求項１又は２記載の手段において、膨張弁用ケースが膨張弁本体に装着されていることを特徴とする。
【００１３】
【発明の実施の形態】
以下、本発明の実施形態を、図面を参照しながら説明する。以下の実施形態は、図１１に示される外観を有する膨張弁５を用いて説明する。
【実施例１】
本発明の実施例１について図面を参照しながら説明する。図１は実施例１の概略斜視図、図２はその遮音部材の斜視図、図３はそのケース部材の斜視図である。本実施例１に係る膨張弁５の遮音ケースは、遮音部材１０Ａ，１０Ｂと、該遮音部材１０を保持するケース部材２０Ａ，２０Ｂとからなる。
【００１４】
先ず、遮音部材１０Ａ，１０Ｂから説明する。遮音部材１０Ａ，１０Ｂの素材は、遮・消音効果が優れ、且つ、ある程度の弾性変形が可能な合成樹脂、ゴム等が用いられる。また、この遮音部材１０Ａ，１０Ｂは、後述のケース部材２０A，２０Ｂにそれぞれ嵌合されたとき、若干、例えば、左右・上下方向において１ｍｍ程度圧縮される程度の大きさが好ましい。しかし、弾性変形が可能な点は必須要件ではない。
遮音部材１０Ａ，１０Ｂは膨張弁５の左右（低圧側通路５ｃ及び低圧冷媒通路５ｄが開口している側面と直交する側面）に装着される。２つの遮音部材１０Ａ，１０Ｂは全く同一形状であり、図２により説明する。
遮音部材１０Ａの内側（膨張弁５への当接側）は、膨張弁５の外形に沿うように一定幅に形成されており、膨張弁５の底面（の半分）に当接する下部受部１１、それに続く折曲部１２、及び膨張弁５の上部（感温駆動部９）に当接する上部覆い部１５とからなり、全体として連続した略板体状に形成されている。上記下部受部１１の端面は下部当接面１１ａを構成する。
【００１５】
また、上部覆い部１５には、膨張弁５の感温駆動部９の底面に対応する上蓋受部１３、及び、上蓋９ｆに嵌合する蓋嵌合溝１４が形成される。また、上部覆い部１５の下面には上凹部１７が形成され、上部覆い部１５の端面には上部当接面１５ａが形成される。また、上部覆い部１５の背面には後張出し部１６が形成される。
上記の両遮音部材１０Ａ，１０Ｂを対称的に向かい合わせて配置したとき（図１に示す状態）、これらの下部において、一方の下部当接面１１ａと他方の下部当接面１１ａが当接し、また、これらの上部において、一方の上部当接面１５ａと他方の上部当接面１５ａが当接し、膨張弁５の両側部に当接してカバーすることになる。このとき、上蓋９ｆは両方の蓋嵌合溝１４に嵌合・支持される。
【００１６】
両ケース部材２０Ａ，２０Ｂは全く同一形状で対称的に配置され、前記両遮音部材１０Ａ，１０Ｂの外側に配置され、遮音部材１０Ａ，１０Ｂとを保持する機能を有する。ケース部材２０Ａ，２０Ｂについて、図３を用いて説明する。
ケース部材２０Ａ（ケース部材２０Ｂも同じ）の内側形状は遮音部材１０Ａの外側形状と略同一形状で一定幅を有し、その下部には下受け部２１が形成され、その上部には折曲げ部２２が形成され、更に、その上部には後張出部２６が形成され、更に、上部には上部カバー部２５が形成され、全体として連続した略板体状に形成されている。
【００１７】
また、ケース部材２０Ａの下部における下受け部２１の一側部には、下側面係合部２１ａが突出状で且つ（取付状態において）水平状に形成されるとともに、下受け部２１の下面には三角柱形状で突出する下係止部２３と、該下係止部２３と並置させて下被係止部２４とが設けられる。下被係止部２４は弾性素材から形成されており、その中心部には下係止部２３が嵌入可能な開孔部２４ａが形成されている。
また、ケース部材２０Ａの上部における上部カバー部２５の上面には、下係止部２３と同一形状の上係止部２８が形成され、該上係止部２８と並置させて上被係止部２９が下被係止部２４と同一形状に形成されている。また、上部カバー部２５には、その一側部に上側面係合部２７が下側面係合部２１ａと同一形状、即ち、突出状で且つ（取付状態において）水平状に形成されている。そして、このケース部材２０Ａの両側縁部には一定高さの縁部２１ｂが形成されている。
【００１８】
これらのケース部材２０Ａ，２０Ｂを、図１に示すように、膨張弁本体５ａの両側部に配置するに当っては、先ず、一方のケース部材２０Ａの膨張弁本体５ａへの当接側に遮音部材１０Ａを嵌合させ、同様にケース部材２０Ｂに遮音部材１０Ｂを嵌合させた上、膨張弁本体５ａの左右両側に配置し、下側面係合部２１ａ及び上側面係合部２７により位置決めをした上、一方の下係止部２３には他方の下被係止部２４を係止させ、他方の下係止部２３には一方の下被係止部２４を係止させてケース部材２０Ａとケース部材２０Ｂの下方を一体化させる。
【００１９】
また、ケース部材２０Ａ，２０Ｂの上方においても、互いの上側面係合部２７によって位置決めをし、一方の上係止部２８には他方の上被係止部２９を係止させ、かつ他方の上係止部２８には一方の上被係止部２９を係止させることによって、上方においても両ケース部材２０は単に近接させるだけで互いに当接状態で一体化することになる。この状態において、両遮音部材１０Ａ，１０Ｂは確実に膨張弁本体５ａの左右に保持されることになり、膨張弁本体５ａ内で発生する騒音や振動を減衰させ、又、断熱効果も奏することになる。
また、ケース部材２０Ａ，２０Ｂの取り外しも、これらの係合同様に、極めて簡単である。
なお、左右の同一形状のケース部材２０Ａ，２０Ｂに設けられる下係止部２３、下被係止部２４及び上係止部２８、上被係止部２９は、左右の両部材が互いに係止される機能があればよく、したがって、種々の形状のものが適用され得ることは言うまでもない。
【００２０】
【実施例２】
次に、本発明の実施例２について図面を参照しながら説明する。図４はその概略斜視図、図５はその遮音部材の斜視図、図６はそのケース部材の斜視図である。なお、実施例２の説明において、実施例１と同一部材には同一符号が付し、その詳細については省略し、相違する部分のみ説明することとする。
実施例２の遮音部材１０Ａ'，１０Ｂ'は、上部覆い部１５'の側部が半円形状（１８０度）にわたって左右が延出されてカバー延出部１５ｂ'が形成されているとともに、上部覆い部１５'の上面が円錐状に突出して形成されている。また、上部覆い部１５'の下面には上凹部１７'が形成され、上部覆い部１５'の端面には上部当接面１５ａ'が形成される。
遮音部材１０Ａ'，１０Ｂ'は、上記のように同一形状に構成されているので互いに向かい合わせて膨張弁本体５ａの両側面に装着したとき、上部覆い部１５'によって膨張弁５の上蓋９ｆの全周をカバーすることができる。そして、この点が実施例１と相違する点である。
【００２１】
実施例２におけるケース部材２０Ａ'，２０Ｂ'についても。実施例１と同一形状の部分については同一符号を付してその説明を省略する。
このケース部材２０Ａ'，２０Ｂ'においては、遮音部材１０Ａ'，１０Ｂ'に形成されているカバー延出部１５ｂ'の外側全周を覆うように側面カバー部２５ａ'が形成されているとともに、上部カバー部２５'の下部には前記遮音部材１０Ａ'側の上部覆い部１５'の上方の突出部が嵌入できるような上空間部２５ｂ'が形成されている。
【００２２】
換言すれば側面カバー部２５ａ'及び上空間部２５ｂ'はカバー延出部１５ｂ'及び上部覆い部１５'の外形状に合わせて設計変更されている。そして前述のようにその他の点においては実施例１のケース部材２０Ａ，２０Ｂと変わるところはない。なお、上部覆い部１５'の上方部分には上側面係合部２７が上部カバー部２５'の肩部を押圧するように形成されている。
実施例２において、遮音部材１０Ａ'，１０Ｂ'及びケース部材２０Ａ'，２０Ｂ'を、図４に示すように、膨張弁本体５ａの両側に配置して装着するには実施例１と同様の手段を採用すれば良い。そして、遮音部材１０Ａ'，Ｂ'及びケース部材２０Ａ'，２０Ｂ'が膨張弁本体５ａに装着された状態では、上蓋９ｆが完全にカバーされることになり、遮音効果とともに断熱効果も期待することができる。
【００２３】
【実施例３】
次に、本発明の実施例３について図面を参照しながら説明する。図７はそのケース部材の斜視図、図８はそのケース部材の係合状態を示す斜め下方向から見た斜視図、図９はそのケース部材の係合状態を示す斜め上方向から見た斜視図である。なお、実施例３の説明において、実施例１と同一部材には同一符号を付し、その詳細については省略し、相違する部分のみ説明することとする。
実施例３はケース部材２０Ａ"，２０Ｂ"の形状に特徴があり、この場合の遮音部材（図外）については、その内側（膨張弁本体５ａの側面当接側）は膨張弁本体５ａの側面形状に合わせて形成され、その外側については凹凸のない平坦な箱状に形成される。
【００２４】
ケース部材２０Ａ"，２０Ｂ"は、その下受け部２１" の一側には凹部からなり奥部が幅広の下係止部２３"が形成され、該下係止部２３"に隣接して、前方に突出し、先太でその幅が縮小可能な下被係止部２４"が形成される。また、ケース部材２０Ａ"，２０Ｂ"の上部カバー部２５"にも、前記下係止部２３"と同様の上係止部２８"が形成され、また、該上係止部２８"と隣接して、下被係止部２４"と同一形状の上被係止部２９"が形成される。
【００２５】
また、ケース部材２０Ａ"の両縁部には遮音部材の厚みと略同じ高さの縁部２１ｂ"が形成される。そして、これらケース部材２０Ａ"，２０Ｂ"が膨張弁本体５ａに遮音部材を支持した状態で装着された状態では、全体として図８及び図９に示すようなその外形が単純な平坦な箱状となっている。
【００２６】
実施例３は上記構成により、ケース部材２０Ａ"，２０Ｂ"の外形状及び内形状が単純な構成となっていることから、遮音部材の外形状を適宜選択することにより、楕円形或いは四角形等の種々の外形状のケース部材２０Ａ"，２０Ｂ"を形成することができる。また、その適用に当っては、例えば、自動車のダッシュボードに図８、図９に示すようなケース部材２０Ａ"，２０Ｂ"の合体形状の装着孔を穿設しておくことにより簡単にダッシュボードに装着することが可能となっている。
なお、実施例３においても実施例１と同様に、下係止部２３"、下被係止部２４"及び上係止部２８"、上被係止部２９"は、互いに係合される機能があればよく、従って種々の形状のものが適用され得ることは言うまでもない。
【００２７】
【発明の効果】
本発明は上記構成により、下記の効果を奏する。本発明によれば、同一形状の２つケース部材を遮音部材を介して膨張弁本体に装着することにより、遮音・防振効果に加えて、ケース部材として同一形状の部品を準備することですみ、製造コストを下げることができ、取扱も容易になるという効果がある。
【００２８】
また、本発明は、ケース部材のそれぞれの上下に、係止部と被係止部を並べて形成し、同一形状の２つのケース部材を膨張弁本体に装着するとき、係止部と被係止部とを係合させることで、２つの同一形状のケース部材をワンタッチで簡単に取り付け・取り外しができるという効果がある。さらに、ケース部材の外面を、平坦状に形成することで、膨張弁全体の装着等の取扱性が向上する。
【図面の簡単な説明】
【図１】本発明に係る実施例１の概略斜視図。
【図２】実施例１の遮音部材の斜視図。
【図３】実施例１のケース部材の斜視図。
【図４】本発明に係る実施例２の概略斜視図。
【図５】実施例２の遮音部材の斜視図。
【図６】実施例２のケース部材の斜視図。
【図７】本発明に係る実施例３のケース部材の斜視図。
【図８】実施例３のケース部材の係合状態を示す斜め下方向から見た斜視図。
【図９】実施例３のケース部材の係合状態を示す斜め上方向から見た斜視図。
【図１０】発明の前提となる膨張弁の縦断面図。
【図１１】同膨張弁の別例の膨張弁本体と感温駆動部との外観斜視図。
【符号の説明】
１・・・冷凍サイクル    ２・・・冷媒圧縮機    ３・・・凝縮機
４・・・受液器          ５・・・膨張弁        ５ａ・・・膨張弁本体
５ｂ・・・高圧側通路    ５ｃ・・・低圧側通路  ５ｄ・・・低圧冷媒通路
５ｅ・・・薄肉部        ５ｆ・・・ボルト穴
６・・・蒸発器          ７・・・オリフィス
８・・・弁体            ８ａ・・・圧縮コイルばね  ８ｂ・・・調節ねじ
８ｃ・・・支持部材      ８ｄ・・・弁室            ８ｅ・・・Ｏリング
９・・・感温駆動部      ９ａ・・・プランジャ      ９ｂ・・・作動棒
９ｃ・・・上部気密室    ９ｃ'・・・下部気密室
９ｄ・・・ダイヤフラム  ９ｅ・・・円盤部          ９ｆ・・・上蓋
９ｇ・・・チューブ装着穴
９ｈ・・・キャピラリチューブ      ９ｉ・・・封止用栓体
１０Ａ，１０Ｂ・・遮音部材[実施例１]
１０Ａ'，１０Ｂ'・・遮音部材[実施例２]
１１・・下部受部        １１ａ・・下部当接面
１２・・折曲部          １３・・上蓋受部      １４・・蓋嵌合溝
１５・・上部覆い部      １５'・・上部覆い部[実施例２]
１５ａ・・上部当接面    １５ａ'・・上部当接面[実施例２]
１５ｂ'・・カバー延出部[実施例２]
１６・・後張出し部
１７・・上凹部          １７'・・上凹部[実施例２]
２０Ａ，２０Ｂ・・ケース部材[実施例１]
２０Ａ'，２０Ｂ'・・ケース部材[実施例２]
２０Ａ"，２０Ｂ"・・ケース部材[実施例３]
２１・・下受け部            ２１"・・下受け部[実施例３]
２１ａ・・下側面係合部
２１ｂ・・縁部              ２１ｂ"・・縁部[実施例３]
２２・・折曲げ部
２３・・下係止部            ２３"・・下係止部[実施例３]
２４・・下被係止部          ２４"・・下被係止部[実施例３]
２４ａ・・開口部
２５・・上部カバー部        ２５'・・上部カバー部[実施例２]
２５"・・上部カバー部[実施例３]
２５ａ'・・側面カバー部[実施例２]
２５ｂ'・・上空間部[実施例２]
２６・・後張出部            ２７・・上側面係合部
２８・・上係止部            ２９・・上被係止部
２８"・・上係止部[実施例３] ２９"・・上被係止部[実施例３]
【図１】
0004462807.tif 000002
【図２】
0004462807.tif 000003
【図３】
0004462807.tif 000004
【図４】
0004462807.tif 000005
【図５】
0004462807.tif 000006
【図６】
0004462807.tif 000007
【図７】
0004462807.tif 000008
【図８】
0004462807.tif 000009
【図９】
0004462807.tif 000010
【図１０】
0004462807.tif 000011
【図１１】
0004462807.tif 000012